(57)【要約】【課題】映像出力装置と映像再生装置間における通信状態などに基づいて、フレーム補間処理の負荷を分散できる映像表示システムを提供する。【解決手段】映像表示システムは、映像信号を出力する映像出力装置２と、映像出力装置２からの映像信号を再生する映像再生装置３とがネットワークを介して接続される。映像出力装置２及び前記映像再生装置３は、映像信号の隣接する２つのフレームに基づいて補間フレーム情報を生成する補間フレーム情報生成部２２ａ，３２ｃを備え、映像出力装置２は、映像出力装置２と映像再生装置３間の通信状態を監視する通信状態監視部２２ｄと、装置間の通信状態に基づいて、映像出力装置２と映像再生装置３のいずれで補間フレーム情報を生成するか判定する条件判定部２２ｃとを備える。【選択図】図３
2008244820.tif 000002
【特許請求の範囲】
【請求項１】
映像信号を出力する映像出力装置と、該映像出力装置からの映像信号を再生する映像再生装置とがネットワークを介して接続された映像表示システムであって、
前記映像出力装置及び前記映像再生装置は、映像信号に基づいて補間フレーム情報を生成する補間フレーム情報生成部を備え、
前記映像出力装置及び／又は前記映像再生装置は、前記映像再生装置に係る所定の条件に基づいて、前記映像出力装置と前記映像再生装置のいずれで補間フレーム情報を生成するか判定する条件判定部を備えることを特徴とする映像表示システム。
【請求項２】
請求項１に記載の映像表示システムにおいて、前記条件判定部は、前記映像出力装置と前記映像再生装置間の通信状態を監視する通信状態監視部を備え、
前記通信状態監視部により監視される前記映像出力装置と前記映像再生装置間の通信状態に基づいて、前記映像出力装置と前記映像再生装置のいずれで補間フレーム情報を生成するか判定することを特徴とする映像表示システム。
【請求項３】
請求項２に記載の映像表示システムにおいて、前記条件判定部は、前記通信状態が良好である場合、前記映像出力装置側で補間フレーム情報を生成すると判定し、前記通信状態が悪い場合、前記映像再生装置側で補間フレーム情報を生成すると判定することを特徴とする映像表示システム。
【請求項４】
請求項３に記載の映像表示システムにおいて、前記映像出力装置は、前記通信状態が悪い場合、前記映像信号のフレーム数を削減することを特徴とする映像表示システム。
【請求項５】
請求項１に記載の映像表示システムにおいて、前記条件判定部は、前記映像再生装置の処理能力に関わる情報を取得する能力情報取得部を備え、
前記能力情報取得部により取得される前記映像再生装置の処理能力に基づいて、前記映像出力装置と前記映像再生装置のいずれで補間フレーム情報を生成するか判定することを特徴とする映像表示システム。
【請求項６】
請求項５に記載の映像表示システムにおいて、前記条件判定部は、前記映像再生装置の処理能力が所定レベル以上の場合、前記映像再生装置側で補間フレーム情報を生成すると判定し、前記映像再生装置の処理能力が所定レベル未満の場合、前記映像出力装置側で補間フレーム情報を生成すると判定することを特徴とする映像表示システム。
【請求項７】
請求項６に記載の映像表示システムにおいて、前記映像出力装置は、前記映像再生装置の処理能力が所定レベル以上の場合、前記映像信号のフレーム数を削減することを特徴とする映像表示システム。
【請求項８】
請求項１に記載の映像表示システムにおいて、前記条件判定部は、前記映像再生装置がバッテリを内蔵する場合、該映像再生装置のバッテリ残量を監視するバッテリ残量監視部を備え、
前記バッテリ残量監視部により監視される前記映像再生装置のバッテリ残量に基づいて、前記映像出力装置と前記映像再生装置のいずれで補間フレーム情報を生成するか判定することを特徴とする映像表示システム。
【請求項９】
請求項８に記載の映像表示システムにおいて、前記条件判定部は、前記映像再生装置のバッテリ残量が所定レベル以上の場合、前記映像再生装置側で補間フレーム情報を生成すると判定し、前記映像再生装置のバッテリ残量が所定レベル未満の場合、前記映像出力装置側で補間フレーム情報を生成すると判定することを特徴とする映像表示システム。
【請求項１０】
請求項９に記載の映像表示システムにおいて、前記映像出力装置は、前記映像再生装置のバッテリ残量が所定レベル以上の場合、前記映像信号のフレーム数を削減することを特徴とする映像表示システム。
【請求項１１】
請求項４，７，１０のいずれか１項に記載の映像表示システムにおいて、前記映像出力装置は、前記映像信号から削減したフレームを生成するための補間フレーム情報を、前記映像信号の残りのフレームから生成することを特徴とする映像表示システム。
【請求項１２】
請求項１乃至１１のいずれか１項に記載の映像表示システムにおいて、前記映像再生装置は、前記映像出力装置に対して補間フレームの生成数を入力・指定する入力部を備え、
前記映像出力装置の前記補間フレーム情報生成部は、前記入力部から指定された補間フレーム数に対応する補間フレーム情報を生成することを特徴とする映像表示システム。
【請求項１３】
請求項１乃至１１のいずれか１項に記載の映像表示システムにおいて、前記補間フレーム情報生成部は、前記映像信号の隣接する２つのフレームに基づいて補間フレーム情報を生成することを特徴とする映像表示システム。
【請求項１４】
請求項１３に記載の映像表示システムにおいて、前記映像再生装置は、前記隣接する２つのフレームと、前記映像出力装置あるいは前記映像再生装置で生成された補間フレーム情報とに基づいて、前記隣接する２つのフレーム間に挿入するための補間フレームを生成する補間フレーム生成部を備えることを特徴とする映像表示システム。
【請求項１５】
請求項１乃至１１のいずれか１項に記載の映像表示システムにおいて、前記映像再生装置は、前記条件判定部により判定される条件をユーザが入力・指定する入力部を備え、
前記条件判定部は、前記入力部から指定された判定条件に基づいて、前記映像出力装置と前記映像再生装置のいずれで補間フレーム情報を生成するか判定することを特徴とする映像表示システム。
【請求項１６】
請求項１に記載の映像表示システムにおいて、前記映像出力装置と前記映像再生装置の両方で補間フレーム情報を生成する場合、前記映像出力装置の前記補間フレーム情報生成部が前記映像信号の一部のフレームから補間フレーム情報を生成し、前記映像再生装置の前記補間フレーム情報生成部が前記映像信号の残りのフレームから補間フレーム情報を生成することを特徴とする映像表示システム。
【請求項１７】
映像信号に基づいて補間フレーム情報を生成可能な映像再生装置とネットワークを介して接続される映像出力装置であって、
映像信号に基づいて補間フレーム情報を生成する補間フレーム情報生成部と、前記映像再生装置に係る所定の条件に基づいて、前記映像出力装置と前記映像再生装置のいずれで補間フレーム情報を生成するか判定する条件判定部とを備えることを特徴とする映像出力装置。
【発明の詳細な説明】
【技術分野】
【０００１】
本発明は、フレーム補間された映像を表示する映像表示システム及び映像出力装置に関し、より詳細には、映像出力装置と映像再生装置との間でフレーム補間処理の負荷を分散可能な映像表示システム及び映像出力装置に関する。
【背景技術】
【０００２】
最近、携帯端末などチューナ機能の無い映像再生装置と、チューナ機能とインターネット接続機能を備えた映像出力装置とを無線ＬＡＮやインターネットを介して接続し、映像出力装置から映像再生装置へ映像信号を転送することで、映像再生装置でリアルタイムでテレビ視聴できるようにしたテレビ視聴システムが知られている。このテレビ視聴システムは、ロケーションフリー（登録商標）と呼ばれ、一般家庭への普及が進んでいる。
【０００３】
このテレビ視聴システムにおいて、映像出力装置はテレビ放送等の映像信号をリアルタイムでＭＰＥＧ−４あるいはＭＰＥＧ−２に変換してＩＰパケットとして映像再生装置に送信する。ＭＰＥＧ−４は、主として携帯端末向けの動画像符号化方式であるため、ＭＰＥＧ−２と比べて、ビットレートが低く、解像度が悪い。そこで、ＭＰＥＧ−４の動画像をより高画質で視聴しようとした場合、フレーム補間を行い、フレーム数を上げるなどの方法が考えられる。
【０００４】
一般に、フレーム補間の方法は、複数フレームからなる動画像信号に対して、隣接する２つのフレーム間に補間フレームを補間して、時間あたりの表示フレーム数を増大させることを目的としている。これにより、時間分解能が向上するため、液晶ディスプレイ（LCD: Liquid Crystal Display）などの表示装置における動画質を良くすることができる。
【０００５】
上記において、補間フレームを生成するためには、隣接する２つの原フレーム間の差分情報などである補間フレーム情報が必要となるが、通常の場合、特許文献１のように、映像再生装置がこの補間フレーム情報を生成している。
【０００６】
すなわち、映像再生装置は、映像出力装置が受信した映像信号の隣接する２つの原フレームから補間フレーム情報を生成し、この補間フレーム情報と２つの原フレームに基づいて、補間フレームを生成する。そして、２つの現フレームの間に補間フレームを挿入して映像表示させる。
【０００７】
図２１は、従来の映像表示システムを構成する映像出力装置と映像再生装置によるフレーム補間処理を説明するための図で、図中、２００は映像出力装置、３００は映像再生装置を示す。
図２２は、図２１に示す従来の映像表示システムの構成を示すブロック図である。映像出力装置２００は、映像受信部２０１，通信部２０２を備え、映像再生装置３００は、通信部３０１，補間フレーム情報生成部３０２，表示部３０３，及び補間フレーム生成部３０４を備える。
【０００８】
図２１及び図２２において、映像出力装置２００は、映像受信部２０１が映像信号を受信すると、図示しない制御部が映像信号をデコードして複数の原フレーム１０１１，１０１２，…を抽出する。そして、通信部２０２がこれらの原フレーム１０１１，１０１２，…を映像再生装置３００に送信する。
【０００９】
映像再生装置３００は、通信部３０１が映像出力装置２００から送信された原フレーム１０１１，１０１２，…を受信すると、補間フレーム情報生成部３０２が隣接する２つの原フレーム１０１１，１０１２から、補間フレームを生成するために必要な差分情報などの補間フレーム情報１０２を生成する。補間フレーム生成部３０４は、補間フレーム情報１０２と２つのフレーム１０１１，１０１２に基づいて、補間フレーム１０３を生成する。そして、表示部３０３は、２つのフレーム１０１１，１０１２と補間フレーム１０３からなる映像１００を表示出力する。
【特許文献１】特開２００６−３３２１９号公報
【発明の開示】
【発明が解決しようとする課題】
【００１０】
図２１及び図２２に示した従来システムにおいて、フレーム補間処理を実行した場合、映像再生装置側で必ず補間フレーム情報が生成され、この補間フレーム情報に基づいて補間フレームが生成される。しかし、映像出力装置と映像再生装置との間の通信状態が良好な場合や、映像再生装置の処理能力（例えばＣＰＵの性能）が低い場合、映像再生装置のバッテリ残量が少ない場合などに、映像再生装置側で補間フレーム情報を生成することは必ずしも効率的とはいえない。
【００１１】
例えば、映像再生装置が携帯端末であれば、通常の場合、携帯端末の処理能力よりも映像出力装置の処理能力のほうが高いと考えられる。従って、両者の通信状態が良好であれば、処理能力の高い映像出力装置で補間フレーム情報を生成したほうが効率がよい。また、逆に、両者の通信状態が悪い場合、映像出力装置からのデータ送信量をできるだけ減らした方が好ましいため、映像再生装置で補間フレーム情報を生成したほうが効率的な場合がある。
【００１２】
このように、映像出力装置と映像再生装置において、装置間の通信状態などに応じてフレーム補間処理の負荷を分散させることは、効率的な処理を行うために有効であるが、このような技術思想はこれまで実現されていなかった。
【００１３】
本発明は、上述のごとき実情に鑑みてなされたものであり、映像出力装置と映像再生装置を備えた映像表示システムにおいて、装置間における通信状態や、映像再生装置の処理能力、バッテリ残量などに基づいて、フレーム補間処理の負荷を分散できる映像表示システム及び映像出力装置を提供すること、を目的とする。
【課題を解決するための手段】
【００１４】
上記課題を解決するために、本発明の第１の技術手段は、映像信号を出力する映像出力装置と、映像出力装置からの映像信号を再生する映像再生装置とがネットワークを介して接続された映像表示システムであって、映像出力装置及び映像再生装置は、映像信号に基づいて補間フレーム情報を生成する補間フレーム情報生成部を備え、映像出力装置及び／又は映像再生装置は、映像再生装置に係る所定の条件に基づいて、映像出力装置と映像再生装置のいずれで補間フレーム情報を生成するか判定する条件判定部を備えることを特徴としたものである。
【００１５】
第２の技術手段は、第１の技術手段において、条件判定部は、映像出力装置と映像再生装置間の通信状態を監視する通信状態監視部を備え、通信状態監視部により監視される映像出力装置と映像再生装置間の通信状態に基づいて、映像出力装置と映像再生装置のいずれで補間フレーム情報を生成するか判定することを特徴としたものである。
【００１６】
第３の技術手段は、第２の技術手段において、条件判定部は、通信状態が良好である場合、映像出力装置側で補間フレーム情報を生成すると判定し、通信状態が悪い場合、映像再生装置側で補間フレーム情報を生成すると判定することを特徴としたものである。
【００１７】
第４の技術手段は、第３の技術手段において、映像出力装置は、通信状態が悪い場合、映像信号のフレーム数を削減することを特徴としたものである。
【００１８】
第５の技術手段は、第１の技術手段において、条件判定部は、映像再生装置の処理能力に関わる情報を取得する能力情報取得部を備え、能力情報取得部により取得される映像再生装置の処理能力に基づいて、映像出力装置と映像再生装置のいずれで補間フレーム情報を生成するか判定することを特徴としたものである。
【００１９】
第６の技術手段は、第５の技術手段において、条件判定部は、映像再生装置の処理能力が所定レベル以上の場合、映像再生装置側で補間フレーム情報を生成すると判定し、映像再生装置の処理能力が所定レベル未満の場合、映像出力装置側で補間フレーム情報を生成すると判定することを特徴としたものである。
【００２０】
第７の技術手段は、第６の技術手段において、映像出力装置は、映像再生装置の処理能力が所定レベル以上の場合、映像信号のフレーム数を削減することを特徴としたものである。
【００２１】
第８の技術手段は、第１の技術手段において、条件判定部は、映像再生装置がバッテリを内蔵する場合、映像再生装置のバッテリ残量を監視するバッテリ残量監視部を備え、バッテリ残量監視部により監視される映像再生装置のバッテリ残量に基づいて、映像出力装置と映像再生装置のいずれで補間フレーム情報を生成するか判定することを特徴としたものである。
【００２２】
第９の技術手段は、第８の技術手段において、条件判定部は、映像再生装置のバッテリ残量が所定レベル以上の場合、映像再生装置側で補間フレーム情報を生成すると判定し、映像再生装置のバッテリ残量が所定レベル未満の場合、映像出力装置側で補間フレーム情報を生成すると判定することを特徴としたものである。
【００２３】
第１０の技術手段は、第９の技術手段において、映像出力装置は、映像再生装置のバッテリ残量が所定レベル以上の場合、映像信号のフレーム数を削減することを特徴としたものである。
【００２４】
第１１の技術手段は、第４，７，１０のいずれかの技術手段において、映像出力装置は、映像信号から削減したフレームを生成するための補間フレーム情報を、映像信号の残りのフレームから生成することを特徴としたものである。
【００２５】
第１２の技術手段は、第１乃至１１のいずれかの技術手段において、映像再生装置は、映像出力装置に対して補間フレームの生成数を入力・指定する入力部を備え、
映像出力装置の補間フレーム情報生成部は、入力部から指定された補間フレーム数に対応する補間フレーム情報を生成することを特徴としたものである。
【００２６】
第１３の技術手段は、第１乃至１１のいずれかの技術手段において、補間フレーム情報生成部は、映像信号の隣接する２つのフレームに基づいて補間フレーム情報を生成することを特徴としたものである。
【００２７】
第１４の技術手段は、第１３の技術手段において、映像再生装置は、隣接する２つのフレームと、映像出力装置あるいは映像再生装置で生成された補間フレーム情報とに基づいて、隣接する２つのフレーム間に挿入するための補間フレームを生成する補間フレーム生成部を備えることを特徴としたものである。
【００２８】
第１５の技術手段は、第１乃至１１のいずれかの技術手段において、映像再生装置は、条件判定部により判定される条件をユーザが入力・指定する入力部を備え、条件判定部は、入力部から指定された判定条件に基づいて、映像出力装置と映像再生装置のいずれで補間フレーム情報を生成するか判定することを特徴としたものである。
【００２９】
第１６の技術手段は、第１の技術手段において、映像出力装置と映像再生装置の両方で補間フレーム情報を生成する場合、映像出力装置の補間フレーム情報生成部が映像信号の一部のフレームから補間フレーム情報を生成し、映像再生装置の補間フレーム情報生成部が映像信号の残りのフレームから補間フレーム情報を生成することを特徴としたものである。
【００３０】
第１７の技術手段は、映像信号に基づいて補間フレーム情報を生成可能な映像再生装置とネットワークを介して接続される映像出力装置であって、映像信号に基づいて補間フレーム情報を生成する補間フレーム情報生成部と、映像再生装置に係る所定の条件に基づいて、映像出力装置と映像再生装置のいずれで補間フレーム情報を生成するか判定する条件判定部とを備えることを特徴としたものである。
【発明の効果】
【００３１】
本発明によれば、映像出力装置と映像再生装置を備えた映像表示システムにおいて、装置間における通信状態や、映像再生装置の処理能力、バッテリ残量などに基づいて、フレーム補間処理の負荷を分散できるため、装置の状況に応じてフレーム補間処理を効率的に実行することができる。
【発明を実施するための最良の形態】
【００３２】
以下、添付図面を参照しながら、本発明の映像表示システム及び映像出力装置の好適な実施の形態について説明する。なお、図面において同じ機能を有する部分については同じ符号を付し、繰り返しの説明は省略する。なお、本発明が適用されるフレーム信号は、互いに類似の関係にあるフィールド信号を含むものとする。
【００３３】
図１は、本発明の一実施形態に係る映像表示システムの構成例を示す図で、図中、１はテレビ装置、２は映像出力装置、３は映像再生装置、４はネットワークを示す。本発明の映像表示システムは、映像出力装置２と映像再生装置３とがネットワーク４を介して接続され、映像再生装置３に係る所定の条件として、例えば、装置間の通信状態や、映像再生装置３の処理能力、バッテリ残量などに基づいて、フレーム補間処理の負荷を分散させる。具体的には、映像出力装置２と映像再生装置３の両方で補間フレーム情報を生成可能としておき、装置間の通信状態などに基づいて、補間フレーム情報を生成させる装置を適応的に決定する。
【００３４】
図１において、映像表示システムは、例えば、ネットワーク４がインターネット、映像出力装置２がレコーダ、映像再生装置３が携帯端末（携帯電話機，ＰＤＡなど）である。本発明を適用可能な視聴形態は、例えば、家庭内に設置されたレコーダがテレビ放送などの映像信号を受信し、この映像信号をインターネット経由で携帯端末にリアルタイム転送する。そして、ユーザは携帯端末を用いて、レコーダから転送された映像信号を再生・視聴する。あるいは、レコーダのハードディスク等に映像信号を録画した後に、ユーザ所望のタイミングでこの録画映像をレコーダから携帯端末に転送し、携帯端末で再生・視聴するケースにも適用できる。
【００３５】
映像出力装置２と映像再生装置３で扱うデータ形式が異なる場合、例えば、映像出力装置２がＭＰＥＧ−２対応で、映像再生装置３がＭＰＥＧ−４対応である場合には、映像出力装置２が映像再生装置３で再生可能なデータ形式に映像信号を変換するようにしてもよい。また、映像出力装置２が１セグチューナ等を備えて映像再生装置３で再生可能な映像信号を受信するようにしてもよい。また、映像再生装置３が自身で再生可能なデータ形式に映像信号を変換するようにしてもよい。
【００３６】
なお、映像出力装置２が映像信号を取り込む際の入力ソースは、例えば、アナログチューナ，デジタルチューナに限定されず、内蔵ハードディスク，ＤＶＤ等の外部記録媒体などを対象としてもよい。
【００３７】
（第１の実施形態）
図２は、本発明の第１の実施形態に係る映像表示システムを構成する映像出力装置と映像再生装置によるフレーム補間処理の一例を説明するための図である。本実施形態では、映像出力装置２が映像再生装置３との通信状態を監視する。
【００３８】
図２（Ａ）に示すように、装置間の通信状態が悪い場合、映像出力装置２からのデータ送信量は出来るだけ減らした方が通信負荷を軽減できるため、映像出力装置２で補間フレーム情報を生成せずに、隣接フレームである原フレーム１０１のみを映像再生装置３に送信する。映像再生装置３は、原フレーム１０１を受信すると、原フレーム１０１から補間フレーム情報を生成し、この補間フレーム情報と原フレーム１０１とに基づいて補間フレームを生成する。
【００３９】
一方、図２（Ｂ）に示すように、装置間の通信状態が良好である場合、映像出力装置２で補間フレーム情報１０２を生成し、この補間フレーム情報１０２と原フレーム１０１を映像再生装置３に送信する。映像再生装置３は、原フレーム１０１と補間フレーム情報１０２を受信すると、原フレーム１０１と補間フレーム情報１０２に基づいて補間フレームを生成する。
【００４０】
図３は、図２に示す映像表示システムの構成例を示すブロック図である。映像出力装置２は、テレビジョン放送信号（映像信号）を受信するチューナ（映像受信部）２１と、装置の動作を制御するＣＰＵなどで構成される制御部２２と、テレビ番組等の映像データを記録するためのＨＤＤ（ハードディスクドライブ）２３と、装置の動作を制御するための制御プログラム等を記憶するメモリ２４と、ネットワーク４を介して映像再生装置３と接続するための通信部２５とを備える。さらに制御部２２は、チューナ２１で受信した映像信号をデコードし、デコードした映像信号から補間フレーム情報を生成する補間フレーム情報生成部２２ａと、デコードした映像信号を再エンコードするエンコーダ２２ｂと、映像再生装置３に係る所定の条件に基づいて、映像出力装置２と映像再生装置３のいずれで補間フレーム情報を生成するか判定する条件判定部２２ｃとを備える。
【００４１】
補間フレーム情報生成部２２ａは、例えば、映像信号の隣接する２つのフレームから補間フレーム情報を生成することが考えられるが、補間フレーム情報の生成に必要なフレームは隣接する２フレームに限らず、複数フレームであればよく、さらには、１つのフレームから補間フレームを生成可能な画像フォーマットであれば、必ずしも複数フレームでなくてもよい。
【００４２】
なお、映像出力装置２は、補間フレーム情報生成部２２ａでデコードした原フレームを映像再生装置３に送信する際に、原フレームのまま送信してもよいし、エンコーダ２２ｂで再エンコードして送信するようにしてもよい。原フレームのまま送信する場合、エンコードする必要がないため、エンコーダ２２ｂを構成から削除してもよい。
【００４３】
本実施形態の場合、条件判定部２２ｃは、映像再生装置３との間の通信状態を監視する通信状態監視部２２ｄを備える。条件判定部２２ｃは、通信状態監視部２２ｄにより監視される映像出力装置２と映像再生装置３間の通信状態に基づいて、映像出力装置２と映像再生装置３のいずれで補間フレーム情報を生成するか判定する。
【００４４】
より具体的には、条件判定部２２ｃは、通信状態監視部２２ｄにより監視される通信状態が良好である場合、映像出力装置２で補間フレーム情報を生成すると判定し、通信状態が悪い場合、映像再生装置３で補間フレーム情報を生成すると判定する。
【００４５】
なお、条件判定部２２ｃは、映像再生装置３側に備えてもよく、あるいは、映像出力装置２と映像再生装置３の両方に備えるようにしてもよい。この条件判定部２２ｃを映像再生装置３に備える構成とした場合、この判定結果を映像再生装置３から映像出力装置２に通知するようにする。
【００４６】
ここで、通信状態の監視・判定方法の一例について説明する。映像再生装置３が映像出力装置２に対して、受信データの受信レート（１秒当りの受信データサイズ）を定期的あるいは所望のタイミングで通知する。受信レートが閾値以上の場合に通信状態が良好と判定し、受信レートが閾値未満の場合に通信状態が悪いと判定する。この閾値は予め決めておいてもよいし、ユーザが任意に設定できるようにしてもよい。
【００４７】
映像再生装置３は、ネットワーク４を介して映像出力装置２と接続するための通信部３１と、装置の動作を制御するＣＰＵなどで構成される制御部３２と、映像データ等を記録するためのＨＤＤ（ハードディスクドライブ）３３と、装置の動作を制御するための制御プログラム等を記憶するメモリ３４と、映像データを表示出力する表示部３５とを備える。さらに制御部３２は、映像出力装置２からの映像信号をデコードするデコーダ３２ａと、映像信号の２つの原フレームと補間フレーム情報とに基づいて、２つの原フレーム間に挿入するための補間フレームを生成する補間フレーム生成部３２ｂと、映像信号に基づいて補間フレーム情報を生成する補間フレーム情報生成部３２ｃを備え、表示部３５は、ＬＣＤなどで構成されるディスプレイ３５ａと、ディスプレイ３５ａに表示する画面データを格納するためのビデオＲＡＭ３５ｂとを備える。
【００４８】
補間フレーム情報生成部３２ｃは、前述の補間フレーム情報生成部２２ａと同様に、例えば、映像信号の隣接する２つのフレームから補間フレーム情報を生成することが考えられるが、補間フレーム情報の生成に必要なフレームは隣接する２フレームに限らず、複数フレームであればよく、さらには、１つのフレームから補間フレームを生成可能な画像フォーマットであれば、必ずしも複数フレームでなくてもよい。
【００４９】
デコーダ３２ａは、映像出力装置２で再エンコードされた原フレームを受信した場合、これをデコードするために必要となるが、再エンコードされていない原フレームを受信する場合、デコードする必要がないため、デコーダ３２ａを構成から削除してもよい。
【００５０】
図４は、本発明の第１の実施形態に係る映像表示システムを構成する映像出力装置と映像再生装置によるフレーム補間処理の一例を説明するためのフロー図である。まず、映像出力装置２は、通信状態監視部２２ｄが映像再生装置３との間の通信状態を監視し（ステップＳ１）、条件判定部２２ｃが、前述の通信状態の判定方法に従って、通信状態が良好かどうかを判定する（ステップＳ２）。
【００５１】
映像出力装置２は、ステップＳ２において、通信状態が悪いと判定された場合（ＮＯの場合）、出来る限りデータ送信量を減らす方が望ましいため、通信部２５が原フレームのみを映像再生装置３に送信する（ステップＳ３）。この場合、補間フレーム情報生成部２２ａは補間フレーム情報を生成しないため、映像再生装置３側で補間フレーム情報が生成される。
【００５２】
映像再生装置３は、通信部３１が映像出力装置２から原フレームを受信すると（ステップＳ４）、補間フレーム情報生成部３２ｃが、隣接する２つの原フレームに基づいて補間フレーム情報を生成する（ステップＳ５）。そして、補間フレーム生成部３２ｂが、隣接する２つの原フレームと補間フレーム情報とを用いて、原フレーム間に挿入する補間フレームを生成する（ステップＳ６）。そして、表示部３５が、原フレームと補間フレームからなる映像を表示する（ステップＳ７）。
【００５３】
また、映像出力装置２は、ステップＳ２において、通信状態が良好と判定された場合（ＹＥＳの場合）、映像出力装置２側で補間フレーム情報を生成したほうが効率的であるため、補間フレーム情報生成部２２ａが、隣接する２つの原フレームに基づいて補間フレーム情報を生成し（ステップＳ８）、通信部２５が原フレームと補間フレーム情報を映像再生装置３に送信する（ステップＳ９）。
【００５４】
映像再生装置３は、通信部３１が映像出力装置２からの原フレームと補間フレーム情報を受信すると（ステップＳ１０）、ステップＳ６に移行して、補間フレーム生成部３２ｂが、隣接する２つの原フレームと補間フレーム情報とを用いて、原フレーム間に挿入する補間フレームを生成し、表示部３５が原フレームと補間フレームからなる映像を表示する。
【００５５】
図５、図６は、本発明に係るフレーム補間方法の一例を説明するための図である。本発明に適用可能なフレーム補間方法は特に限定されるものではなく、動き補間や線形補間など公知の方法を用いることができる。このフレーム補間方法は、補間フレーム情報生成部２２ａ（または補間フレーム情報生成部３２ｃ）及び補間フレーム生成部３２ｂにより実行される。
図５において、フレームＴが、フレーム１とフレーム２の間に挿入される補間フレームである。このフレームＴを生成するために、例えば、図６に示す差分情報による方法を用いることができる。
【００５６】
図６において、フレーム１における任意の画素（ｘ，ｙ）のフレーム情報をＦ１（ｘ，ｙ）とし、フレーム２における画素（ｘ，ｙ）のフレーム情報をＦ２（ｘ＋ｄｘ，ｙ＋ｄｙ）とする。このフレーム情報Ｆ２のｄｘ，ｄｙは情報の変化量を示す。そして、補間フレームＴにおける画素（ｘ，ｙ）のフレーム情報は、Ｆｔ（ｘ＋1/2ｄｘ，ｙ＋1/2ｄｙ）となる。これより、フレーム１，２のフレーム情報Ｆ１，Ｆ２と、フレーム１，２の変化量である差分情報（すなわち補間フレーム情報）があれば、フレーム情報Ｆｔが求まり、補間フレームＴを生成することができる。
【００５７】
図７は、映像出力装置による補間フレーム情報生成処理の一例を説明するためのフロー図である。まず、映像出力装置２は、映像受信部２１により受信映像を取得すると（ステップＳ１１）、補間フレーム情報生成部２２ａが映像を復号（デコード）する（ステップＳ１２）。そして、補間フレーム情報生成部２２ａが、復号した映像の隣接２フレーム（原フレーム）から補間フレーム情報を作成し（ステップＳ１３）、通信部２５に原フレームと補間フレーム情報を渡す（ステップＳ１４）。
【００５８】
図８は、本発明の第１の実施形態に係る映像表示システムを構成する映像出力装置と映像再生装置によるフレーム補間処理の変形例を説明するためのフロー図である。本例では、装置間の通信状態が悪い場合に、ビットレートを落とさずに、フレームレートを落として通信負荷を軽減し、映像再生装置側で補間して再生する場合について説明する。すなわち、本発明は、前述の図４に示したように、原フレームに補間フレームを追加してフレーム数を増やすケースだけでなく、本例に示すように、原フレームから間引かれた分の補間フレームを生成するケースにも適用可能である。
【００５９】
まず、映像出力装置２は、通信状態監視部２２ｄが映像再生装置３との間の通信状態を監視し（ステップＳ２１）、条件判定部２２ｃが、前述の通信状態の判定方法に従って、通信状態が良好かどうかを判定する（ステップＳ２２）。
【００６０】
映像出力装置２は、ステップＳ２２において、通信状態が良好と判定された場合（ＹＥＳの場合）、通信部２５が原フレームを映像再生装置３に送信する（ステップＳ２３）。
映像再生装置３は、通信部３１が映像出力装置２から原フレームを受信すると（ステップＳ２４）、表示部３５が原フレームからなる映像を表示する（ステップＳ２５）。
【００６１】
また、映像出力装置２は、ステップＳ２２において、通信状態が悪いと判定された場合（ＮＯの場合）、通信負荷を軽減するために、制御部２２が原フレームを一部間引き（ステップＳ２６）、通信部２５が残りの原フレームを映像再生装置３に送信する（ステップＳ２７）。この場合、補間フレーム情報生成部２２ａは補間フレーム情報を生成しないため、映像再生装置３側で補間フレーム情報が生成される。
【００６２】
映像再生装置３は、通信部３１が映像出力装置２から残りの原フレームを受信すると（ステップＳ２８）、補間フレーム情報生成部３２ｃが、隣接する２つの原フレームに基づいて補間フレーム情報を生成する（ステップＳ２９）。そして、補間フレーム生成部３２ｂが、隣接する２つの原フレームと補間フレーム情報とを用いて、原フレーム間に挿入する補間フレームを生成する（ステップＳ３０）。そして、表示部３５が、原フレームと補間フレームからなる映像を表示する（ステップＳ３１）。
【００６３】
本例の場合、原フレームから間引かれた分のフレームが補間フレームとして挿入されるため、映像再生装置３で再生されるフレーム数は原フレームと同じフレーム数となる。なお、映像再生装置３において、原フレームから間引かれた分の補間フレームを用いて、さらに補間フレームを生成するようにしてもよい。この場合、原フレームよりフレーム数が増加するため、動画質の向上を図ることができる。
【００６４】
また、上記変形例において、補間フレーム情報は原フレームほどデータ量が大きくないため、映像出力装置２で単純に間引くだけではなく、間引いた後、間引かなかった残りのフレームより補間フレーム情報を生成してもよい。この場合、映像出力装置２は、残りのフレームと補間フレーム情報を映像再生装置３に送信する。これによれば、映像出力装置２が補間フレーム情報を生成するため、映像再生装置３で補間フレーム情報を生成する負荷を軽減することができる。
【００６５】
このように、本実施形態によれば、映像出力装置と映像再生装置を備えた映像表示システムにおいて、装置間における通信状態に基づいて、フレーム補間処理の負荷を分散できるため、フレーム補間処理を効率的に実行することができる。
【００６６】
（第２の実施形態）
図９は、本発明の第２の実施形態に係る映像表示システムを構成する映像出力装置と映像再生装置によるフレーム補間処理の一例を説明するための図である。本実施形態では、映像出力装置２が映像再生装置３の処理能力に関わる情報（スペック情報）を取得する。
【００６７】
図９（Ａ）に示すように、映像再生装置３のスペックが高い場合、映像再生装置３で補間フレーム情報を生成した方が通信負荷を軽減できるため、映像出力装置２で補間フレーム情報を生成せずに、隣接フレームである原フレーム１０１のみを映像再生装置３に送信する。映像再生装置３は、原フレーム１０１を受信すると、原フレーム１０１から補間フレーム情報を生成し、この補間フレーム情報と原フレーム１０１とに基づいて補間フレームを生成する。
【００６８】
一方、図９（Ｂ）に示すように、映像再生装置３のスペックが低い場合、映像出力装置２側で補間フレーム情報を生成した方が映像再生装置３の処理負荷を軽減できるため、映像出力装置２が補間フレーム情報１０２を生成し、この補間フレーム情報１０２と原フレーム１０１を映像再生装置３に送信する。映像再生装置３は、原フレーム１０１と補間フレーム情報１０２を受信すると、原フレーム１０１と補間フレーム情報１０２に基づいて補間フレームを生成する。
【００６９】
図１０は、図９に示す映像表示システムの構成例を示すブロック図である。映像出力装置２は、図３に示した構成と同様に、チューナ（映像受信部）２１，制御部２２，ＨＤＤ２３，メモリ２４，及び通信部２５を備え、さらに制御部２２は、補間フレーム情報生成部２２ａ，エンコーダ２２ｂ，及び条件判定部２２ｃを備える。
【００７０】
本実施形態の場合、条件判定部２２ｃは、映像再生装置３の処理能力に係る情報を取得する本発明の能力情報取得部に相当するスペック情報取得部２２ｅを備える。条件判定部２２ｃは、スペック情報取得部２２ｅにより取得される映像再生装置３の処理能力に基づいて、映像出力装置２と映像再生装置３のいずれで補間フレーム情報を生成するか判定する。
【００７１】
より具体的には、条件判定部２２ｃは、映像再生装置３のスペックが所定レベル以上（例えば「高」以上）の場合、映像再生装置３で補間フレーム情報を生成すると判定し、映像再生装置３のスペックが所定レベル未満（例えば「高」未満）の場合、映像出力装置２で補間フレーム情報を生成すると判定する。
【００７２】
なお、第１の実施形態と同様に、条件判定部２２ｃは、映像再生装置３側に備えてもよく、あるいは、映像出力装置２と映像再生装置３の両方に備えるようにしてもよい。この条件判定部２２ｃを映像再生装置３に備える構成とした場合、この判定結果を映像再生装置３から映像出力装置２に通知するようにする。
【００７３】
ここで、スペック情報の取得方法の一例について説明する。スペック情報取得部２２ｅは、映像再生装置３のスペック情報を、映像出力装置２と映像再生装置３間での通信開始時や、装置間で定期的に通信することで取得する。スペック情報の具体例としてはＣＰＵクロックなどが挙げられる。ＣＰＵクロックの場合、映像出力装置２は、例えば、クロック２００ＭＨｚ以下ではスペック「低」、クロック２００〜５００ＭＨｚではスペック「中」、クロック５００ＭＨｚ以上ではスペック「高」といったように、クロック周波数とスペックレベルとを関連付けたテーブルをメモリ２４に予め保持しておいてもよい。条件判定部２２ｃは、スペック情報取得部２２ｅにより映像再生装置３のＣＰＵクロック情報を取得すると、メモリ２４を参照し、映像再生装置３のＣＰＵクロックに対応するスペックレベルに基づいて、映像出力装置２と映像再生装置３のいずれで補間フレーム情報を生成するか判定する。
【００７４】
または、映像再生装置３が上記テーブルをメモリ３４に保持してもよい。この場合、映像再生装置３は、映像出力装置２からスペック情報の取得要求があった際に、メモリ３４を参照し、自身のスペックレベルを映像出力装置２に送信する。映像出力装置２の条件判定部２２ｃは、スペック情報取得部２２ｅにより映像再生装置３のスペックレベルを取得すると、このスペックレベルに基づいて、映像出力装置２と映像再生装置３のいずれで補間フレーム情報を生成するか判定する。
【００７５】
映像再生装置３は、図３に示した構成と同様に、通信部３１，制御部３２，ＨＤＤ３３，メモリ３４，及び表示部３５を備える。さらに制御部３２は、デコーダ３２ａ，補間フレーム生成部３２ｂ，及び補間フレーム情報生成部３２ｃを備え、表示部３５は、ディスプレイ３５ａ，ビデオＲＡＭ３５ｂを備える。
【００７６】
また、第２の実施形態の変形例として、映像再生装置３のスペックが高い場合、映像出力装置２でフレームレートを落として送信し、映像再生装置３でフレーム補間して再生するようにしてもよい。これにより、映像出力装置２からはフレーム数を落として送信することができるため、通信負荷を軽減することができる。
【００７７】
また、上記変形例において、補間フレーム情報は原フレームほどデータ量が大きくないため、映像出力装置２で単純に間引く（フレームレートを落とす）だけではなく、間引いた後、間引かなかった残りのフレームより補間フレーム情報を生成してもよい。この場合、映像出力装置２は、残りのフレームと補間フレーム情報を映像再生装置３に送信する。これによれば、映像出力装置２が補間フレーム情報を生成するため、映像再生装置３で補間フレーム情報を生成する負荷を軽減することができる。
【００７８】
このように、本実施形態によれば、映像出力装置と映像再生装置を備えた映像表示システムにおいて、映像再生装置のスペックに基づいて、フレーム補間処理の負荷を分散できるため、フレーム補間処理を効率的に実行することができる。
【００７９】
（第３の実施形態）
図１１は、本発明の第３の実施形態に係る映像表示システムを構成する映像出力装置と映像再生装置によるフレーム補間処理の一例を説明するための図である。本実施形態では、映像再生装置３がバッテリを備え、映像出力装置２が映像再生装置３のバッテリ残量を監視する。
【００８０】
図１１（Ａ）に示すように、映像再生装置３のバッテリ残量が多い場合、映像再生装置３で補間フレーム情報を生成した方が通信負荷を軽減できるため、映像出力装置２で補間フレーム情報を生成せずに、隣接フレームである原フレーム１０１のみを映像再生装置３に送信する。映像再生装置３は、原フレーム１０１を受信すると、原フレーム１０１から補間フレーム情報を生成し、この補間フレーム情報と原フレーム１０１とに基づいて補間フレームを生成する。
【００８１】
一方、図１１（Ｂ）に示すように、映像再生装置３のバッテリ残量が少ない場合、映像出力装置２側で補間フレーム情報を生成した方がバッテリを長持ちさせることができるため、映像出力装置２が補間フレーム情報１０２を生成し、この補間フレーム情報１０２と原フレーム１０１を映像再生装置３に送信する。映像再生装置３は、原フレーム１０１と補間フレーム情報１０２を受信すると、原フレーム１０１と補間フレーム情報１０２に基づいて補間フレームを生成する。
【００８２】
図１２は、図１１に示す映像表示システムの構成例を示すブロック図である。映像出力装置２は、図３に示した構成と同様に、チューナ（映像受信部）２１，制御部２２，ＨＤＤ２３，メモリ２４，及び通信部２５を備え、さらに制御部２２は、補間フレーム情報生成部２２ａ，エンコーダ２２ｂ，及び条件判定部２２ｃを備える。
【００８３】
本実施形態の場合、条件判定部２２ｃは、映像再生装置３のバッテリ残量を監視するバッテリ残量監視部２２ｆを備える。条件判定部２２ｃは、バッテリ残量監視部２２ｆにより監視される映像再生装置３のバッテリ残量に基づいて、映像出力装置２と映像再生装置３のいずれで補間フレーム情報を生成するか判定する。
【００８４】
より具体的には、条件判定部２２ｃは、映像再生装置３のバッテリ残量が所定レベル以上（例えば「中」以上）の場合、映像再生装置３で補間フレーム情報を生成すると判定し、映像再生装置３のバッテリ残量が所定レベル未満（例えば「中」未満）の場合、映像出力装置２で補間フレーム情報を生成すると判定する。
【００８５】
なお、第１，第２の実施形態と同様に、条件判定部２２ｃは、映像再生装置３側に備えてもよく、あるいは、映像出力装置２と映像再生装置３の両方に備えるようにしてもよい。この条件判定部２２ｃを映像再生装置３に備える構成とした場合、この判定結果を映像再生装置３から映像出力装置２に通知するようにする。
【００８６】
ここで、バッテリ残量の監視・判定方法の一例について説明する。バッテリ残量監視部２２ｆは、映像再生装置３のバッテリ残量を、映像出力装置２と映像再生装置３間での通信開始時や、装置間で定期的に通信することで取得する。バッテリ残量の場合、映像出力装置２は、例えば、バッテリ電圧１Ｖ以下では残量「少」、バッテリ電圧１〜２．５Ｖでは残量「中」、バッテリ電圧２．５Ｖ以上では残量「多」といったように、バッテリ電圧と残量レベルとを関連付けたテーブルをメモリ２４に予め保持しておいてもよい。条件判定部２２ｃは、バッテリ残量監視部２２ｆにより映像再生装置３のバッテリ電圧を取得すると、メモリ２４を参照し、映像再生装置３のバッテリ電圧に対応する残量レベルに基づいて、映像出力装置２と映像再生装置３のいずれで補間フレーム情報を生成するか判定する。
【００８７】
または、映像再生装置３が上記テーブルをメモリ３４に保持してもよい。この場合、映像再生装置３は、映像出力装置２からバッテリ残量の取得要求があった際に、メモリ３４を参照し、自身の残量レベルを映像出力装置２に送信する。映像出力装置２の条件判定部２２ｃは、バッテリ残量監視部２２ｆにより映像再生装置３の残量レベルを取得すると、この残量レベルに基づいて、映像出力装置２と映像再生装置３のいずれで補間フレーム情報を生成するか判定する。
【００８８】
映像再生装置３は、図３に示した構成と同様に、通信部３１，制御部３２，ＨＤＤ３３，メモリ３４，表示部３５を備え、さらにバッテリ３６を備える。制御部３２は、デコーダ３２ａ，補間フレーム生成部３２ｂ，及び補間フレーム情報生成部３２ｃを備え、表示部３５は、ディスプレイ３５ａ，ビデオＲＡＭ３５ｂを備える。
【００８９】
また、第３の実施形態の変形例として、映像再生装置３のバッテリ残量が多い場合、映像出力装置２でフレームレートを落として送信し、映像再生装置３でフレーム補間して再生するようにしてもよい。これにより、映像出力装置２からはフレーム数を落として送信することができるため、通信負荷を軽減することができる。
【００９０】
また、上記変形例において、補間フレーム情報は原フレームほどデータ量が大きくないため、映像出力装置２で単純に間引く（フレームレートを落とす）だけではなく、間引いた後、間引かなかった残りのフレームより補間フレーム情報を生成してもよい。この場合、映像出力装置２は、残りのフレームと補間フレーム情報を映像再生装置３に送信する。これによれば、映像出力装置２が補間フレーム情報を生成するため、映像再生装置３で補間フレーム情報を生成する負荷を軽減することができる。
【００９１】
また、映像再生装置３のバッテリ残量が少ない場合、映像再生装置３の処理能力（ＣＰＵクロックなど）を落として、消費電力を低減するように制御してもよい。ＣＰＵによっては処理能力を制御できるものがあり、例えば、２００ＭＨｚで動作するモード、５００ＭＨｚで動作するモードを持つものがある。通常、処理能力を上げると消費電力は大きくなる。
【００９２】
従って、バッテリ残量が少ない場合、できるだけバッテリを長持ちさせるために、映像再生装置３を処理能力の小さい２００ＭＨｚで動作させ、映像出力装置２側で補間フレーム情報を生成する。一方、バッテリ残量が多い場合、通信負荷を軽減するために、映像再生装置３を処理能力の大きい５００ＭＨｚで動作させ、映像再生装置３側で補間フレーム情報を生成するようにしてもよい。
【００９３】
このように、本実施形態によれば、映像出力装置と映像再生装置を備えた映像表示システムにおいて、映像再生装置のバッテリ残量に基づいて、フレーム補間処理の負荷を分散できるため、フレーム補間処理を効率的に実行することができる。
【００９４】
以上に説明した第１〜第３の実施形態においては、条件判定部２２ｃが、映像出力装置２と映像再生装置３のいずれで補間フレーム情報を生成するか判定したが、映像出力装置２と映像再生装置３の両方で補間フレーム情報を生成するようにしてもよい。この場合、映像出力装置２の補間フレーム情報生成部２２ａが映像信号の一部のフレームから補間フレーム情報を生成し、映像再生装置３の補間フレーム情報生成部３２ｃが映像信号の残りのフレームから補間フレーム情報を生成する。
【００９５】
例えば、１５フレームの映像信号を３０フレームにフレーム補間する場合、１−２，２−３，…，７−８フレーム間の補間フレーム情報を映像出力装置２で生成し、残りの８−９，９−１０，…，１４−１５フレーム間の補間フレーム情報を映像再生装置３で生成する。この補間フレーム情報生成処理を２つの装置で同時に行うことで、効率的に負荷の分散を図ることができる。なお、２つの装置間の負荷の割合（すなわち、映像出力装置２と映像再生装置３それぞれに何フレームずつ割り当てるか）は、原フレーム数に応じて予め設定しておいてもよく、ユーザが任意に設定できるようにしてもよい。
【００９６】
また、条件判定部２２ｃが判定する条件、すなわち、装置間の通信状態や、映像再生装置３の処理能力、バッテリ残量などに基づいて、２つの装置間の負荷の割合を決定するようにしてもよい。例えば、通信状態が良好であれば、映像再生装置３の処理負荷を軽減するために、映像出力装置２の負荷の割合を多くして補間フレーム情報を生成し、一方、通信状態が悪い場合、通信負荷を軽減するために、映像再生装置３の負荷の割合を多くして補間フレーム情報を生成する。
【００９７】
（第４の実施形態）
図１３は、本発明の第４の実施形態に係る映像表示システムを構成する映像出力装置と映像再生装置によるフレーム補間処理の一例を説明するための図である。本実施形態では、前述の第１〜第３の実施形態のいずれかにおいて、補間フレームの生成数を任意に変更可能とする。
【００９８】
図１３（Ａ）に示すように、映像再生装置３から低画質（普通）モードが設定された場合、補間フレームを追加しないため、映像出力装置２は原フレーム１０１１，１０１２のみを映像再生装置３に送信し、映像再生装置３はこれらの原フレーム１０１１，１０１２からなる映像１００を表示出力する。
【００９９】
また、図１３（Ｂ）に示すように、映像再生装置３から中画質モードが設定された場合、補間フレームを例えば１つ追加するため、映像出力装置２は原フレーム１０１１，１０１２と補間フレーム情報１０２を映像再生装置３に送信し、映像再生装置３はこれらの原フレーム１０１１，１０１２と補間フレーム情報１０２に基づいて、補間フレーム１０３を生成し、原フレーム１０１１，１０１２と補間フレーム１０３からなる映像１００を表示出力する。
【０１００】
また、図１３（Ｃ）に示すように、映像再生装置３から高画質モードが設定された場合、補間フレームを例えば３つ追加するため、映像出力装置２は原フレーム１０１１，１０１２と補間フレーム情報１０２１，１０２２，１０２３を映像再生装置３に送信し、映像再生装置３はこれらの原フレーム１０１１，１０１２と補間フレーム情報１０２１，１０２２，１０２３に基づいて、補間フレーム１０３１，１０３２，１０３３を生成し、原フレーム１０１１，１０１２と補間フレーム１０３１，１０３２，１０３３からなる映像１００を表示出力する。この場合、映像出力装置２において、まず、原フレーム１０１１，１０１２から補間フレーム情報１０２１を生成し、この補間フレーム情報１０２１から補間フレーム１０３を生成し、さらに、原フレーム１０１１，１０１２と補間フレーム１０３から補間フレーム情報１０２２，１０２３を生成する。
【０１０１】
図１４は、図１３に示す映像表示システムの構成例を示すブロック図である。映像出力装置２は、図３に示した構成と同様に、チューナ（映像受信部）２１，制御部２２，ＨＤＤ２３，メモリ２４，及び通信部２５を備え、さらに制御部２２は、補間フレーム情報生成部２２ａ，エンコーダ２２ｂ，及び条件判定部２２ｃを備える。
【０１０２】
また、映像再生装置３は、図３に示した構成と同様に、通信部３１，制御部３２，ＨＤＤ３３，メモリ３４，表示部３５を備え、さらに入力部３７を備える。制御部３２は、デコーダ３２ａ，補間フレーム生成部３２ｂ，及び補間フレーム情報生成部３２ｃを備え、表示部３５は、ディスプレイ３５ａ，ビデオＲＡＭ３５ｂを備える。
【０１０３】
本実施形態の場合、映像再生装置３は、映像出力装置２に対して補間フレームの生成数を入力・指定する入力部３７を備える。この入力部３７は、ユーザ操作に従って、図１５に示す画質モード指定画面を表示させる。本例の画質モード指定画面は、「高画質」，「中画質」，「普通」の３段階で構成され、ユーザが所望の画質モードを選択し、送信ボタンを押下すると、選択された画質モードが映像出力装置２へ送信される。
【０１０４】
映像出力装置２の補間フレーム情報生成部２２ａは、図１３に示したように、映像再生装置３からの画質モードに応じた補間フレーム数に対応する補間フレーム情報を生成する。画質モードと補間フレーム数との対応関係を示すテーブルの例を後述の図１７に示す。なお、図１７に示すテーブルはメモリ２４に予め記憶しておいてもよい。
【０１０５】
図１６は、本発明の第４の実施形態に係る映像表示システムを構成する映像出力装置と映像再生装置によるフレーム補間処理の一例を説明するためのフロー図である。まず、映像出力装置２は、映像再生装置３の入力部３７から受け付けた画質モード情報に基づいて画質モードを決定し（ステップＳ４１）、図１７に示すテーブルに基づいて、画質モードから補間フレーム数を決定する（ステップＳ４２）。そして、映像出力装置２は、補間フレーム情報生成部２２ａが補間フレーム数に基づいて補間フレーム情報を生成し（ステップＳ４３）、通信部２５が原フレームと補間フレーム情報を映像再生装置３に送信する（ステップＳ４４）。
【０１０６】
映像再生装置３は、通信部３１が原フレームと補間フレーム情報を受信し（ステップＳ４５）、補間フレーム生成部３２ｂが原フレームと補間フレーム情報を用いて、補間フレームを生成する（ステップＳ４６）。そして、表示部３５が原フレームと補間フレームからなる映像を表示する（ステップＳ４７）。
【０１０７】
また、第４の実施形態の変形例として、映像出力装置２と映像再生装置３を接続する通信回線が高速回線あるいは低速回線に切り換え可能なシステムの場合、映像再生装置３から指定された補間フレーム数に応じて、通信回線を切り換えるようにしてもよい。例えば、補間フレーム数が多い場合、高速回線に切り換え、補間フレーム数が少ない場合、低速回線に切り換えるように制御する。
【０１０８】
本実施形態によれば、映像出力装置と映像再生装置を備えた映像表示システムにおいて、装置間の通信状態や、映像再生装置の処理能力、バッテリ残量などに基づいて、フレーム補間処理の負荷を分散できるため、フレーム補間処理を効率的に実行することができ、さらに、ユーザによって補間フレーム数を任意に指定することができるため、番組内容などに応じた最適なフレーム補間処理を行うことが可能となる。例えば、ユーザが視聴する番組が、高画質で見たい番組であれば補間フレーム数を増やし、普通画質でよければ補間しない、といったように補間フレーム数を指定することができる。
【０１０９】
また、映像再生装置３が備える入力部３７は、条件判定部２２ｃにより判定される条件をユーザが任意に入力・指定するための入力画面を表示するようにしてもよい。条件判定部２２ｃは、入力部３７から指定された判定条件に基づいて、映像出力装置２と映像再生装置３のいずれで補間フレーム情報を生成するか判定する。ユーザが指定できる条件は、例えば、装置間の通信状態や、映像再生装置３の処理能力、バッテリ残量などである。
【０１１０】
そして、各条件の判定基準に基づく負荷分散のさせ方なども指定できるようにしてもよい。具体例としては、前述したように、通信状態が良好であれば、映像出力装置２側で補間フレーム情報を生成し、通信状態が悪い場合、映像再生装置３側で補間フレーム情報を生成するなど、ユーザ指定の条件に応じて、どのように負荷を分散させるかを任意に指定させてもよい。
【０１１１】
（第５の実施形態）
図１８は、本発明の第５の実施形態に係る映像表示システムを構成する映像出力装置と映像再生装置によるフレーム補間処理の一例を説明するための図である。本実施形態では、装置間の通信状態や、映像再生装置３の処理能力やバッテリ残量などに係らず、常に映像出力装置２が補間フレーム情報を生成する。
【０１１２】
映像出力装置２が、隣接する２つの原フレーム１０１１，１０１２に基づいて、補間フレーム情報１０２を生成し、この補間フレーム情報１０２と原フレーム１０１１，１０１２を映像再生装置３に送信する。映像再生装置３は、原フレーム１０１１，１０１２と補間フレーム情報１０２を受信すると、原フレーム１０１１，１０１２と補間フレーム情報１０２に基づいて補間フレーム１０３を生成し、原フレーム１０１１，１０１２と補間フレーム１０３からなる映像１００を表示出力する。
【０１１３】
図１９は、図１８に示す映像表示システムの構成例を示すブロック図である。映像出力装置２は、チューナ（映像受信部）２１，制御部２２，ＨＤＤ２３，メモリ２４，及び通信部２５を備え、さらに制御部２２は、補間フレーム情報生成部２２ａ，及びエンコーダ２２ｂを備える。本例の場合、常に補間フレーム情報生成部２２ａで補間フレーム情報を生成するため、条件判定部２２ｃを構成に含まないようにしてもよい。
【０１１４】
一方、映像再生装置３は、通信部３１，制御部３２，ＨＤＤ３３，メモリ３４，表示部３５を備える。制御部３２は、デコーダ３２ａ，及び補間フレーム生成部３２ｂを備え、表示部３５は、ディスプレイ３５ａ，ビデオＲＡＭ３５ｂを備える。本例の場合、常に映像出力装置２の補間フレーム情報生成部２２ａで補間フレーム情報を生成するため、補間フレーム情報生成部３２ｃを構成に含まないようにしてもよい。
【０１１５】
図２０は、本発明の第５の実施形態に係る映像表示システムを構成する映像出力装置と映像再生装置によるフレーム補間処理の一例を説明するためのフロー図である。まず、映像出力装置２は、映像受信部２１が映像を受信すると（ステップＳ５１）、補間フレーム情報生成部２２ａが補間フレーム情報を生成し（ステップＳ５２）、通信部２５が原フレームと補間フレーム情報を映像再生装置に送信する（ステップＳ５３）。
【０１１６】
映像再生装置３は、通信部３１が原フレームと補間フレーム情報を受信し（ステップＳ５４）、補間フレーム生成部３２ｂが原フレームと補間フレーム情報を用いて、補間フレームを生成する（ステップＳ５５）。そして、表示部３５が原フレームと補間フレームからなる映像を表示する（ステップＳ５６）。
【０１１７】
本実施形態によれば、映像出力装置と映像再生装置を備えた映像表示システムにおいて、常に映像出力装置側で補間フレーム情報を生成して送信するため、映像再生装置側のフレーム補間処理の負荷を軽減することができる。
【０１１８】
なお、これまで映像再生装置側に補間フレーム生成部を備える構成として説明したが、映像出力装置側に補間フレーム生成部を備え、補間フレームを映像再生装置に送信するようにしてもよい。
【図面の簡単な説明】
【０１１９】
【図１】本発明の一実施形態に係る映像表示システムの構成例を示す図である。
【図２】本発明の第１の実施形態に係る映像表示システムを構成する映像出力装置と映像再生装置によるフレーム補間処理の一例を説明するための図である。
【図３】図２に示す映像表示システムの構成例を示すブロック図である。
【図４】本発明の第１の実施形態に係る映像表示システムを構成する映像出力装置と映像再生装置によるフレーム補間処理の一例を説明するためのフロー図である。
【図５】本発明に係るフレーム補間方法の一例を説明するための図である。
【図６】本発明に係るフレーム補間方法の一例を説明するための図である。
【図７】映像出力装置による補間フレーム情報生成処理の一例を説明するためのフロー図である。
【図８】本発明の第１の実施形態に係る映像表示システムを構成する映像出力装置と映像再生装置によるフレーム補間処理の変形例を説明するためのフロー図である。
【図９】本発明の第２の実施形態に係る映像表示システムを構成する映像出力装置と映像再生装置によるフレーム補間処理の一例を説明するための図である。
【図１０】図９に示す映像表示システムの構成例を示すブロック図である。
【図１１】本発明の第３の実施形態に係る映像表示システムを構成する映像出力装置と映像再生装置によるフレーム補間処理の一例を説明するための図である。
【図１２】図１１に示す映像表示システムの構成例を示すブロック図である。
【図１３】本発明の第４の実施形態に係る映像表示システムを構成する映像出力装置と映像再生装置によるフレーム補間処理の一例を説明するための図である。
【図１４】図１３に示す映像表示システムの構成例を示すブロック図である。
【図１５】映像再生装置の画質モード指定画面の一例を示す図である。
【図１６】本発明の第４の実施形態に係る映像表示システムを構成する映像出力装置と映像再生装置によるフレーム補間処理の一例を説明するためのフロー図である。
【図１７】画質モードと補間フレーム数との対応関係を示すテーブルの一例を示す図である。
【図１８】本発明の第５の実施形態に係る映像表示システムを構成する映像出力装置と映像再生装置によるフレーム補間処理の一例を説明するための図である。
【図１９】図１８に示す映像表示システムの構成例を示すブロック図である。
【図２０】本発明の第５の実施形態に係る映像表示システムを構成する映像出力装置と映像再生装置によるフレーム補間処理の一例を説明するためのフロー図である。
【図２１】従来の映像表示システムを構成する映像出力装置と映像再生装置によるフレーム補間処理を説明するための図である。
【図２２】図２１に示す従来の映像表示システムの構成を示すブロック図である。
【符号の説明】
【０１２０】
１…テレビ装置、２，２００…映像出力装置、３，３００…映像再生装置、４…ネットワーク、２１，２０１…チューナ(映像受信部)、２２，３２…制御部、２２ａ，３２ｃ，３０２…補間フレーム情報生成部、２２ｂ…エンコーダ、２２ｃ…条件判定部、２２ｄ…通信状態監視部、２２ｅ…スペック情報取得部、２２ｆ…バッテリ残量監視部、２３，３３…ＨＤＤ、２４，３４…メモリ、２５，３１，２０２，３０１…通信部、３２ａ…デコーダ、３２ｂ，３０４…補間フレーム生成部、３５，３０３…表示部、３５ａ…ディスプレイ、３５ｂ…ビデオＲＡＭ、３６…バッテリ、３７…入力部。
【図１】
2008244820.tif 000003
【図２】
2008244820.tif 000004
【図３】
2008244820.tif 000005
【図４】
2008244820.tif 000006
【図５】
2008244820.tif 000007
【図６】
2008244820.tif 000008
【図７】
2008244820.tif 000009
【図８】
2008244820.tif 000010
【図９】
2008244820.tif 000011
【図１０】
2008244820.tif 000012
【図１１】
2008244820.tif 000013
【図１２】
2008244820.tif 000014
【図１３】
2008244820.tif 000015
【図１４】
2008244820.tif 000016
【図１５】
2008244820.tif 000017
【図１６】
2008244820.tif 000018
【図１７】
2008244820.tif 000019
【図１８】
2008244820.tif 000020
【図１９】
2008244820.tif 000021
【図２０】
2008244820.tif 000022
【図２１】
2008244820.tif 000023
【図２２】
2008244820.tif 000024